(57)【要約】【課題】底泥などの水底に堆積した土砂を巻き上げて水質を汚濁させることがないうえに、杭周の清掃が可能な水質汚濁防止装置を提供する。【解決手段】水中に立設される杭２に設置されてその周辺水域の汚濁を防止するための水質汚濁防止装置３である。  そして、杭を貫通させる挿通孔４６を備えたフロート部４と、フロート部の側縁から水底１に向けて展開可能な汚濁防止膜５と、杭を囲繞するとともにフロート部と連結される錘枠部６と、錘枠部の内周と杭との隙間に延設されるブラシ部７とを備えている。【選択図】図１
2010121344.tif 000002
【特許請求の範囲】
【請求項１】
水中に立設される杭に設置されてその周辺水域の汚濁を防止するための水質汚濁防止装置であって、
前記杭を貫通させる挿通孔を備えたフロート部と、
前記フロート部の側縁から水底に向けて展開可能な膜部と、
前記杭を囲繞するとともに前記フロート部と連結される錘枠部と、
前記錘枠部の内周と前記杭との隙間に延設されるブラシ部とを備えたことを特徴とする水質汚濁防止装置。
【請求項２】
前記フロート部の上面には足場が形成されていることを特徴とする請求項１に記載の水質汚濁防止装置。
【請求項３】
前記ブラシ部は、前記杭に向けてスライド可能に構成されていることを特徴とする請求項１又は２に記載の水質汚濁防止装置。
【請求項４】
前記錘枠部には、前記フロート部を貫通して上方に延伸される吊りワイヤが接続されるとともに、前記吊りワイヤと前記膜部が接続されていることを特徴とする請求項１乃至３のいずれか一項に記載の水質汚濁防止装置。
【発明の詳細な説明】
【技術分野】
【０００１】
本発明は、水中に杭を打設したり、水中に打設した杭を引き抜いたりする際に、周辺水域を汚濁するのを防ぐための水質汚濁防止装置に関するものである。
【背景技術】
【０００２】
従来、水域において工事をおこなう際に、巻き上げられた水底の土砂、埋め立て用に投入される砂、資機材に付着した泥などによって周辺水域が汚濁することがないように、水質汚濁防止シートで施工水域を囲う方法が知られている（特許文献１−３など参照）。
【０００３】
この水質汚濁防止シートは、上端にフロートが取り付けられるとともに、下端に錘が取り付けられており、水中で深度方向に展開して対象水域を囲い込むことができる。
【特許文献１】特開昭６０−２３０４１５号公報
【特許文献２】特開２００４−１５４６５６号公報
【特許文献３】特開２００３−２５３６５８号公報
【発明の開示】
【発明が解決しようとする課題】
【０００４】
しかしながら、水質汚濁シートで囲うだけでは、施工中の汚濁物質の拡散を防ぐことができるだけで、囲われた内部の水質の浄化を、別途、おこなう必要がある。
【０００５】
また、土中から引き抜かれた杭は、杭周に土砂が付着しており、引き上げに際して水中、空中に土砂を撒き散らして水質汚濁の原因になるだけでなく、水上に引き上げた後に、別途、清掃作業が必要になる。
【０００６】
さらに、杭を水底に打ち込む際には、水底に堆積したヘドロなどの底泥が打込み時の振動によって舞い上がり、水質を汚濁させる場合がある。
【０００７】
そこで、本発明は、底泥などの水底に堆積した土砂を巻き上げて水質を汚濁させることがないうえに、杭周の清掃が可能な水質汚濁防止装置を提供することを目的としている。
【課題を解決するための手段】
【０００８】
前記目的を達成するために、本発明の水質汚濁防止装置は、水中に立設される杭に設置されてその周辺水域の汚濁を防止するための水質汚濁防止装置であって、前記杭を貫通させる挿通孔を備えたフロート部と、前記フロート部の側縁から水底に向けて展開可能な膜部と、前記杭を囲繞するとともに前記フロート部と連結される錘枠部と、前記錘枠部の内周と前記杭との隙間に延設されるブラシ部とを備えたことを特徴とする。
【０００９】
ここで、前記フロート部の上面には足場が形成されていることが好ましい。また、前記ブラシ部は、前記杭に向けてスライド可能に構成することができる。
【００１０】
さらに、前記錘枠部には、前記フロート部を貫通して上方に延伸される吊りワイヤが接続されるとともに、前記吊りワイヤと前記膜部が接続されている構成とすることもできる。
【発明の効果】
【００１１】
このように構成された本発明の水質汚濁防止装置は、杭の周辺水域が膜部によって囲まれているとともに、錘枠部と杭との隙間にブラシ部が延設されている。
【００１２】
このため、杭を打ち込む際には底泥などの汚濁原因物質の上昇がブラシ部に遮られて拡散が抑えられるうえに、杭を引き抜く際には、ブラシ部によって杭周に付着した土砂が掻き落とされて清掃することができる。
【００１３】
また、錘枠部とフロート部とが連結されて一つになっているので、設置、撤去などの移動を容易におこなうことができる。
【００１４】
さらに、フロート部の上面に足場が形成されていれば、作業者は容易に杭に近づいて作業をおこなうことができるので、作業効率がよい。
【００１５】
また、ブラシ部が杭に向けてスライド可能に構成されていれば、様々な形状の杭に適合させることができる。
【００１６】
さらに、フロート部を貫通させて錘枠部に吊りワイヤを接続し、その吊りワイヤと膜部とを接続しておくことで、吊りワイヤを引き上げることによって錘枠部とフロート部とが近接し、膜部を折り畳むことができる。
【００１７】
このように膜部を折り畳むことができれば、吊り上げ時の風の影響を抑えることができる。
【発明を実施するための最良の形態】
【００１８】
以下、本発明の最良の実施の形態について図面を参照して説明する。
【００１９】
図１は、本実施の形態の水質汚濁防止装置３の構成を説明する断面図である。
【００２０】
この水質汚濁防止装置３は、水中に立設された杭２に装着されるものであって、水面１２に浮遊させるフロート部４と、そのフロート部４の側縁を囲繞するように取り付けられる膜部としての汚濁防止膜５と、杭２の周囲を囲繞するとともにフロート部４と連結される錘枠部６と、錘枠部６の内周と杭２との隙間に延設されるブラシ部７とから主に構成される。
【００２１】
この杭２は、工事用の桟橋などの橋脚や基礎とするために水底１に打ち込まれる鋼管杭などである。また、仮設として使用するために水底１に打ち込まれた杭２は、工事終了後に引き抜かれ、撤去される。
【００２２】
そして、このように水面１２下の水底１に杭２を打設したり、水底１から杭２を引き抜いたりすると、水底１に堆積した土砂１１や杭２の周囲に付着した土砂が水中に拡散して、周辺水域の水質を汚濁することがある。本実施の形態の水質汚濁防止装置３は、そのような水質汚濁を防止するための装置である。
【００２３】
この水質汚濁防止装置３に浮力を与えるフロート部４は、図２に示すように、平面視四角形に形成された浮遊体であり、略中央に杭２を貫通させる挿通孔４６が形成されている。この挿通孔４６は、杭２の外形よりも大きな内形に形成されており、この挿通孔４６に通した杭２によってフロート部４の横移動は制限される。
【００２４】
また、この挿通孔４６の周囲には、水よりも比重が小さい発泡スチロールなどが浮体４１，・・・として取り付けられている。この浮体４１の大きさは、足場４２、手摺４３、下面板４４などの自重や、作業員などの上載荷重や、汚濁防止膜５の重量などを差し引いても浮力が発生する大きさに設計される。
【００２５】
さらに、この浮体４１，・・・の上面は、金網や鋼板などの面材で覆われて足場４２が形成されている。また、この足場４２には、手摺４３が設けられて、水面１２上であっても安全に作業がおこなえるように構成されている。
【００２６】
また、このフロート部４の上面には、図２に示すように、四隅に上面フック４２ａ，・・・がそれぞれ取り付けられており、これらの上面フック４２ａ，・・・には吊りワイヤ８３，・・・がそれぞれ接続される。
【００２７】
一方、フロート部４の下面側には、上面側の足場４２と連結された下面板４４が設けられており、吊りワイヤ８３，・・・によってフロート部４を持ち上げると下面板４４も持ち上がるように構成されている。そして、この下面板４４には、複数の下面フック４４ａ，・・・が取り付けられる。
【００２８】
また、フロート部４の側縁には、汚濁防止膜５の上端が取り付けられる。また、この四角筒状に形成された汚濁防止膜５の下端には、アンカーチェーン５１が取り付けられる。そして、このアンカーチェーン５１が錘になって、汚濁防止膜５の下端の浮き上がりが防止される。
【００２９】
この汚濁防止膜５は、少なくとも土砂の通過を遮ることが可能なシート材で、水を透過させることが可能な織布、又はビニルシートや合成樹脂シートなどの遮水性シートなどが使用できる。
【００３０】
また、この汚濁防止膜５は、設置箇所の水深より長いものが使用される。さらに、汚濁防止膜５の内周面には、深度方向に間隔を置いて後述する吊りワイヤ８１及び連結ワイヤ８２と汚濁防止膜５とを接続するための係留金具５２，・・・が取り付けられている。
【００３１】
そして、係留金具５２，・・・によって汚濁防止膜５と接続される連結ワイヤ８２は、上端が下面フック４４ａに接続され、下端が錘枠部６の連結フック６２に接続される。
【００３２】
この錘枠部６は、図３に示すように、鋼材によって外形が平面視四角形となるように形成されており、内周は平面視八角形の中央開口６３に形成されている。すなわち、この錘枠部６は、汚濁防止膜５の内部に収容可能な外形に形成されるとともに、中央開口６３には杭２が挿入される。
【００３３】
また、この中央開口６３の杭２と錘枠部６の内周面との隙間には、複数のブラシ部７Ａ−７Ｈが延設される。さらに、このブラシ部７Ａ−７Ｈは、中央開口６３の各辺にスライド可能にそれぞれ取り付けられる。
【００３４】
ここで、図４は、ブラシ部７Ａ−７Ｈの構成を説明するために代表して示したブラシ部７の斜視図である。
【００３５】
この図４に示すように、ブラシ部７は、Ｈ形鋼材によって形成される錘枠部６の上面フランジ６ａに取り付けられている。このブラシ部７は、上面フランジ６ａに当接させる板状のスライド板７３と、そのスライド板７３の一側端に取り付けられる基部７２と、その基部７２に植毛されるワイヤブラシ７１とから主に構成される。
【００３６】
また、このスライド板７３には、ブラシ部７をスライドさせる方向に向けて延伸される長穴７４，７４が設けられており、上面フランジ６ａから所望する長さを張り出させた状態で、その長穴７４，７４に通したボルト７５，７５を締結することによって、錘枠部６に固定することができる。
【００３７】
そして、このようにスライド可能に構成されたブラシ部７Ａ−７Ｈは、図３に示すように、八角形の中央開口６３の各辺にそれぞれ独立してスライドできるように取り付けられている。
【００３８】
また、中央開口６３に挿入する杭２の大きさや形状に合わせて各ブラシ部７Ａ−７Ｈをスライド移動させ、それらのワイヤブラシ７１，・・・の先端を杭２の周面に当接させる。
【００３９】
このようにブラシ部７Ａ−７Ｈが錘枠部６に固定されることによって、杭２の打設時には、ブラシ部７Ａ−７Ｈが水底１に引き込まれるのを防ぐことができる。他方、杭２の引き抜き時には、ブラシ部７Ａ−７Ｈが杭２と共に持ち上がってしまうのを錘枠部６の重量によって防ぐことができる。
【００４０】
また、スライド板７３の幅方向略中央には、吊りワイヤ８１を接続する吊りフック６１が突設されている。この吊りワイヤ８１は、フロート部４を厚さ方向に貫通するワイヤ用孔４５に挿通され、係留金具５２，・・・を介して汚濁防止膜５に接続されて、下端が吊りフック６１に接続されている。
【００４１】
このため、この吊りワイヤ８１によって錘枠部６を直接、吊り上げることができるとともに、汚濁防止膜５を折り畳んで吊り上げることができるようになっている。
【００４２】
次に、本実施の形態の水質汚濁防止装置３の作用について説明する。
【００４３】
このように構成された本発明の水質汚濁防止装置３は、杭２の周辺水域が汚濁防止膜５によって囲まれているとともに、錘枠部６と杭２との隙間にブラシ部７が延設される。
【００４４】
このため、杭２を打ち込む際には水底１に堆積した土砂１１などの汚濁原因物質の上昇がブラシ部７によって遮られて拡散が抑えられる。また、杭２を引き抜く際には、ブラシ部７のワイヤブラシ７１によって、杭２の周面に付着した土砂が掻き落とされて清掃することができる。
【００４５】
さらに、杭２の引き抜き時に水底１の近くで掻き落とされた土砂１１によって、引き抜かれた後の杭孔が埋め戻されれば、杭２の引き抜き後の水底１地盤の緩みを防止することができる。
【００４６】
また、錘枠部６とフロート部４とが連結されているので、錘枠部６又はフロート部４のいずれを持ち上げても水質汚濁防止装置３全体を持ち上げることが可能で、設置、撤去などの移動を容易におこなうことができる。
【００４７】
さらに、従来は、汚濁防止膜５によって囲まれた内側には入れなかったので、杭２に接近して作業をおこなうには、別途、作業床となる足場を設ける必要があった。
【００４８】
しかしながら本実施の形態の水質汚濁防止装置３は、フロート部４の上面に足場４２が形成されており、作業者はその足場４２を使って容易に杭２に近づいて作業をおこなうことができるので、作業効率がよい。
【００４９】
また、錘枠部６とフロート部４とが連結されることによって、フロート部４の上昇や横移動などの変動が制限されて、足場４２としての安定性を高めることができる。
【００５０】
さらに、ブラシ部７が杭２に向けてスライド可能に構成されていれば、様々な形状の杭に適合させることができる。すなわち、杭２の大きさが変化しても、ブラシ部７Ａ−７Ｈをスライドさせて、杭２にワイヤブラシ７１の先端を当接させることができる。また、平面視非対称な形状の杭２であっても、ブラシ部７Ａ−７Ｈのスライド量を個別に調整することで、杭２の周面にワイヤブラシ７１の先端を密着させることができる。
【００５１】
さらに、フロート部４を貫通させて錘枠部６に吊りワイヤ８１を接続するとともに、その吊りワイヤ８１と汚濁防止膜５とを接続しておくことで、吊りワイヤ８１を引き上げることによって錘枠部６とフロート部４とを近接させることができる。
【００５２】
そして、錘枠部６とフロート部４とが近づくと、それに伴って汚濁防止膜５が折り畳まれることになる。このように汚濁防止膜５を折り畳むことができれば、風の当たる面積が削減されて、吊り上げ時に風力によって不安定な状態が発生することを防ぐことができる。
【００５３】
例えば、風が強い日に汚濁防止膜５を展開したまま水質汚濁防止装置３を吊り上げると、風の力を受けて揺れたり、回転したりして不安定な状態が発生するので、作業を中止しなければならない場合がある。これに対して、汚濁防止膜５を折り畳むことで、風から受ける抵抗が格段に低減され、作業可能な条件が緩和されて作業効率を上げることができる。
【００５４】
また、連結ワイヤ８２によってフロート部４の下方に錘枠部６を吊り下げた場合は、係留金具５２，・・・を介して連結ワイヤ８２に接続された汚濁防止膜５を展開することができる。
【００５５】
このように吊りワイヤ８１による吊り上げと、吊りワイヤ８３による吊り上げとを使い分けることによって、汚濁防止膜５の折畳み、展開を容易に切り替えることができる。
【００５６】
以上、図面を参照して、本発明の最良の実施の形態を詳述してきたが、具体的な構成は、この実施の形態に限らず、本発明の要旨を逸脱しない程度の設計的変更は、本発明に含まれる。
【００５７】
例えば、前記実施の形態では、ブラシ部７Ａ−７Ｈによって中央開口６３の錘枠部６の内周と杭２との隙間を埋めたが、これに限定されるものではなく、隙間が残っていても大部分の土砂１１の巻き上がりを抑えることができればよい。
【００５８】
また、前記実施の形態では、ブラシ部７をスライド可能に構成したが、これに限定されるものではなく、水質汚濁防止装置３を装着する杭２の形状にそれほど変化がない場合は、ブラシ部７は錘枠部６に固定されるものであってもよい。
【００５９】
さらに、前記実施の形態で説明したようにフロート部４を貫通する吊りワイヤ８１と汚濁防止膜５とが接続されていなくてもよい。例えば、連結ワイヤ８２と汚濁防止膜５とが接続されていれば、錘枠部６を持ち上げてフロート部４に近づけるだけで、汚濁防止膜５も折り畳まれることになる。
【図面の簡単な説明】
【００６０】
【図１】本発明の最良の実施の形態の水質汚濁防止装置の構成を説明する断面図である。
【図２】フロート部を上から見た平面図である。
【図３】錘枠部とブラシ部を上から見た平面図である。
【図４】ブラシ部の構成を説明する斜視図である。
【符号の説明】
【００６１】
１            水底
２            杭
３            水質汚濁防止装置
４            フロート部
４２          足場
４６          挿通孔
５            汚濁防止膜（膜部）
６            錘枠部
７            ブラシ部
７３          スライド板
８１          吊りワイヤ
８２          連結ワイヤ
【図１】
2010121344.tif 000003
【図２】
2010121344.tif 000004
【図３】
2010121344.tif 000005
【図４】
2010121344.tif 000006